(57)【要約】【課題】救急時に患者の医療情報を取得できるようにする。【解決手段】スマートフォンから成る情報通信端末５には、予め患者１自身のカルテや投薬の情報などの医療情報が記録されており、専用のアプリが起動している。救急車９１に運び込まれると、救急隊員などの医療従事者９が、音声７０で呼び掛けたり、情報処理装置８からBluetooth（登録商標）７１を通して起動信号を与えたりして、前記専用のアプリを動作させると、前記医療情報がBluetooth（登録商標）７１を通して、情報処理装置８にミラーリングされ、適宜遠隔操作により、必要な情報を検索できるようになる。これによって、患者１の姓名が不明であっても、また携帯電話回線が通じず、掛かり付けの病院などから医療情報が入手できなくても、直接、確実かつ安定して、医療情報を取得することができ、速やかに、かつ適切に、処置を行うことができるようになる。【選択図】図１
2020095592.tif 000002
【特許請求の範囲】
【請求項１】
携帯通信端末と、情報処理装置とを備えて構成される個人医療情報システムであって、
前記携帯通信端末は、少なくともその所有者を含む該所有者に関連するメンバーの医療情報を記録しておくものであり、
前記医療情報を記録している格納手段と、
外部からの予め定める起動のサインを受信する受信手段と、
前記情報処理装置と近距離の無線通信を行う第１の通信インターフェイスと、
前記受信手段で前記予め定める起動のサインが受信されると、前記格納手段に記録されている前記医療情報を、前記第１の通信インターフェイスから情報処理装置へ送信する情報制御手段とを備え、
前記情報処理装置は、前記メンバーに体調の不具合が生じた際に処置を施す医療従事者が所持するものであり、
第２の通信インターフェイスと、
前記第２の通信インターフェイスで前記医療情報が受信されると、それを表示する表示手段とを備えて構成されることを特徴とする個人医療情報システム。
【請求項２】
前記起動のサインは、前記医療従事者による予め定める音声による呼び掛け、または発信器による予め定める発信音の発信であることを特徴とする請求項１記載の個人医療情報システム。
【請求項３】
前記起動のサインは、前記情報処理装置に設けた起動信号発生手段で発生された起動信号を、前記第２の通信インターフェイスから前記近距離無線通信によって送信し、前記携帯通信端末の前記第１の通信インターフェイスで受信されることで実現されることを特徴とする請求項１記載の個人医療情報システム。
【請求項４】
前記第１および第２の通信インターフェイスは、双方向通信可能であり、前記情報処理装置には、前記医療情報の選択手段を備え、
前記携帯通信端末からの医療情報の受信が可能となると、前記情報処理装置は、前記選択手段の選択内容を前記第２の通信インターフェイスから第１の通信インターフェイスを介して前記情報制御手段へ送信し、該情報制御手段が選択内容の医療情報を前記格納手段から読出して情報処理装置へ送信することを特徴とする請求項１〜３の何れか１項に記載の個人医療情報システム。
【請求項５】
前記情報処理装置への医療情報の送信が可能となると、前記携帯通信端末は、その入力手段を利用して、新たな医療情報の入力が可能になり、前記情報制御手段は、入力された医療情報を前記格納手段に記録するとともに、前記入力手段の操作に応答して前記医療情報の読出しを行い、表示手段で表示することを特徴とする請求項１〜４の何れか１項に記載の個人医療情報システム。
【請求項６】
複数の各医療機関で収集された前記メンバーとなる複数の各受診者の医療情報を、各受診者に予め付与された固有の識別情報に対応付けて集約して保管し、前記医療従事者および／または各受診者の要求に応じて、前記各受診者の医療情報を予め定めるルールに基づき、前記携帯通信端末および情報処理装置で閲覧可能にするサーバと、複数の前記携帯通信端末および情報処理装置と、それらを接続する広域の無線通信ネットワークとを備えて構成され、
前記受信手段が、外部からの予め定める起動のサインを受信すると、情報制御手段は、表示手段に、前記受診者に予め付与された固有の識別情報を表示し、
前記情報処理装置は、前記広域の無線通信ネットワークを介して、前記受診者に予め付与された固有の識別情報で前記サーバにアクセスし、前記集約されている医療情報を取得することを特徴とする請求項１〜５の何れか１項に記載の個人医療情報システム。
【請求項７】
前記メンバーに体調の不具合が生じた際に収容される収容場所は救急車内またはドクターヘリ機内であり、前記処置を施す医療従事者は救急隊員および／または医師であることを特徴とする請求項１〜６の何れか１項に記載の個人医療情報システム。
【請求項８】
前記携帯通信端末は、前記受信手段で前記起動のサインを受信すると、前記表示手段に前記識別情報を表示するとともに、該携帯通信端末の所在を前記医療従事者に報知するための鳴動を行う報知手段をさらに備えることを特徴とする請求項６記載の個人医療情報システム。
【請求項９】
前記サーバは、広域の無線通信ネットワークを介して、受診者の受診によって前記医療機関側で新たに入力された医療情報を、前記広域の無線通信ネットワークを介して、前記携帯通信端末へ送信し、前記格納手段に更新記録させることを特徴とする請求項６記載の個人医療情報システム。
【請求項１０】
前記携帯通信端末の格納手段に記録されている前記医療情報は、予めレベル分けされており、該携帯通信端末でメンバーが閲覧可能なレベルと、前記医療従事者が前記情報処理装置において予め定める操作により閲覧可能になるレベルとに差のあるケースを有することを特徴とする請求項１〜９の何れか１項に記載の個人医療情報システム。
【発明の詳細な説明】
【技術分野】
【０００１】
本発明は、スマートフォンなどの携帯通信端末に、その所有者の、好ましくは家族などの該所有者に関連するメンバーも含めて、通院履歴や投薬履歴などの個人の医療情報を記録しておくことで、救急搬送などの前記メンバーに体調の不具合が生じた際に、救急隊員や医師などの医療従事者の処置に役立てるためのシステムに関する。
【背景技術】
【０００２】
前記医療情報、具体的には、診察（診断）結果（カルテ）、検査結果（生化学検査や画像など）および投薬履歴（処方箋、お薬手帳）などの前記個人の医療情報を携帯通信端末に記録しておくことで、たとえばそれを医師に見せることで、新規の外来の際に役に立ったり、薬の重複などを防いだりすることができる。また、難病と呼ばれるような正確な病名が判明し難いようなケースでも、過去の記録を参考にすることで、正確な病名に辿り着いたり、或いはセカンドオピニオンに利用したりすることができ、非常に有効である。
【０００３】
そこで、本件発明者は、特許文献１で、そのような個人の医療情報を集約するシステムを提案している。その従来技術は、医療情報を集約する集約機関を設立する一方、各受診者に固有の識別符号（ＩＤ）を割当て、医療機関が診察や投薬の医療行為の度に、その識別符号の元に得られた医療情報を集約することで、医療機関間での医療情報の共有が可能になっている。得られた医療情報は、受診者のスマートフォンやタブレット端末にもダウンロードされ、持ち歩き可能となっている。
【先行技術文献】
【特許文献】
【０００４】
【特許文献１】特許第６０５９３０３号公報
【発明の概要】
【発明が解決しようとする課題】
【０００５】
上述の従来技術は、集約した個人の医療情報を携帯通信端末に格納し、医師などに適宜見せたりすることは可能である。しかしながら、受診者が携帯通信端末を操作できないような状況、たとえば救急搬送されているような状況では、携帯通信端末のパスワードロックなどが障害となって、折角の医療情報が確認できないような場合がある。また、前記の集約センターを介して個人の医療情報をダウンロードしようとしても、前記受診者に固有の識別符号（ＩＤ）が分からなかったり（携帯通信端末から識別情報が読めなかったり）、或いは救急車は地下やトンネルなども走り、高域無線ネットワークが途切れて（不安定になって）ダウンロードできない場合もある。
【０００６】
本発明の目的は、個人の医療情報を記録した携帯通信端末から、救急時にも確実に医療情報を取り出すことができる個人医療情報システムを提供することである。
【課題を解決するための手段】
【０００７】
本発明の個人医療情報システムは、携帯通信端末と、情報処理装置とを備えて構成される個人医療情報システムであって、前記携帯通信端末は、少なくともその所有者を含む該所有者に関連する家族などのメンバーの医療情報を記録しておくものであり、前記医療情報を記録している格納手段と、外部からの予め定める起動のサインを受信する受信手段と、前記情報処理装置と近距離の無線通信を行う第１の通信インターフェイスと、前記受信手段で前記予め定める起動のサインが受信されると、前記格納手段に記録されている前記医療情報を、前記第１の通信インターフェイスから情報処理装置へ送信する情報制御手段とを備え、前記情報処理装置は、前記メンバーに体調の不具合が生じた際に処置を施す医療従事者が所持するものであり、第２の通信インターフェイスと、前記第２の通信インターフェイスで前記医療情報が受信されると、それを表示する表示手段とを備えて構成されることを特徴とする。
【０００８】
上記の構成によれば、所有者のスマートフォンなどの携帯通信端末に記録しておいた、自身や、場合によっては家族を含む所定メンバーの医療情報を、前記メンバーに体調の不具合が生じた際に、処置を施す救急隊員や医師などの医療従事者が所持するスマートフォンやタブレット端末などの情報処理装置に、ミラーリングする。詳しくは、携帯通信端末では、歩数計のアプリケーションプログラムなどのように、本個人医療情報システムに専用のアプリケーションプログラムが常に起動しており、前記医療従事者からの呼び掛けや特定の発信音などの予め定める起動のサインを待っている。そして、前記医療従事者が発した前記起動のサインを受信手段で受信すると、情報制御手段が、格納手段に記録されている医療情報を、第１の通信インターフェイスから近距離の無線通信によって、前記情報処理装置へ送信する。情報処理装置は、第２の通信インターフェイスで、その医療情報が受信されると、表示手段で表示する。前記近距離の無線通信は、所謂Wi-Fi（登録商標、IEEE 802.11規格）や、Bluetooth（登録商標、IEEE 802.15規格）などの近距離無線ＬＡＮで実現することができる。
【０００９】
したがって、所有者のスマートフォンなどの携帯通信端末に記録されているメンバーの医療情報は、勿論、スマートフォン自体の生体認証やパスワードなどによるロックが掛るようになるかもしれないが、外部からの予め定める起動のサインを受信すると、ロックが解除され、強制的に、医療従事者が所持するスマートフォンやタブレット端末などの情報処理装置にミラーリングされる。これによって、所有者の姓名が不明であっても、また携帯電話回線などの大規模な無線通信ネットワークが不安定で、救急車やドクターヘリなどの医療従事者側で、掛かり付けの病院などからメンバーの医療情報を入手できないような場合でも、所有者のスマートフォンなどの携帯通信端末との近距離の無線通信によって（ローカルに）、直接、確実かつ安定して、医療情報を取得することができ、速やかに、かつ適切に、処置を行うことができるようになる。
【００１０】
また、本発明の個人医療情報システムでは、前記起動のサインは、前記医療従事者による予め定める音声による呼び掛け、または発信器による予め定める発信音の発信であることを特徴とする。
【００１１】
上記の構成によれば、医療従事者が、所有者のスマートフォンなどの携帯通信端末に向けて、予め定める言葉などの起動のサインとしての音声を発することで、または発信器による予め定める発信音を発生させることで、前記所有者のスマートフォンなどの携帯通信端末から、近距離無線通信によって（ローカルに）、医療情報を取得することができる。
【００１２】
さらにまた、本発明の個人医療情報システムでは、前記起動のサインは、前記情報処理装置に設けた起動信号発生手段で発生された起動信号を、前記第２の通信インターフェイスから前記近距離無線通信によって送信し、前記携帯通信端末の前記第１の通信インターフェイスで受信されることで実現されることを特徴とする。
【００１３】
上記の構成によれば、医療従事者がスマートフォンやタブレット端末などの情報処理装置から、所有者のスマートフォンなどの携帯通信端末に向けて、近距離無線通信によって（ローカルに）起動信号を発することで、前記近距離無線通信によって（ローカルに）医療情報を取得することができる。
【００１４】
また、本発明の個人医療情報システムでは、前記第１および第２の通信インターフェイスは、双方向通信可能であり、前記情報処理装置には、前記医療情報の選択手段を備え、前記携帯通信端末からの医療情報の受信が可能となると、前記情報処理装置は、前記選択手段の選択内容を前記第２の通信インターフェイスから第１の通信インターフェイスを介して前記情報制御手段へ送信し、該情報制御手段が選択内容の医療情報を前記格納手段から読出して情報処理装置へ送信することを特徴とする。
【００１５】
上記の構成によれば、携帯通信端末に記録されている医療情報の情報処理装置へのミラーリングが可能になると（起動されると）、さらに情報処理装置側から、携帯通信端末を遠隔制御して、必要な情報を検索できるようにする。
【００１６】
したがって、たとえば、医療情報の読出しを必要とするメンバーは、家族の誰なのか、或いは診断するにあたり病歴なのか、処置するにあたり投薬履歴なのか、などのメンバーに前記体調の不具合が生じた際に医療従事者が処置するにあたり、必要な情報だけを効率良く検索することができる。
【００１７】
さらにまた、本発明の個人医療情報システムでは、前記情報処理装置への医療情報の送信が可能となると、前記携帯通信端末は、その入力手段を利用して、新たな医療情報の入力が可能になり、前記情報制御手段は、入力された医療情報を前記格納手段に記録するとともに、前記入力手段の操作に応答して前記医療情報の読出しを行い、表示手段で表示することを特徴とする。
【００１８】
上記の構成によれば、携帯通信端末に記録されている医療情報の情報処理装置へのミラーリングが可能になると（起動されると）、携帯通信端末では、その入力手段を利用して、新たな医療情報の入力が可能になり、前記情報制御手段は、入力された医療情報を前記格納手段に記録する。
【００１９】
したがって、情報処理装置から携帯通信端末へ、携帯電話等の広域のネットワークを介して医療情報を書き込めないような状況でも、医療従事者は、タッチパネル操作などで、直接、携帯通信端末に医療情報を書込むことができる。これによって、大規模な災害や事故などで、多くの怪我人が発生したような状況で、医療従事者は、診断した結果や病状などを、携帯通信端末に端的にでも記入しておくことで、次に見た（引き継いだ）医療従事者が、直ぐに状況を把握することができる。
【００２０】
また、本発明の個人医療情報システムでは、複数の各医療機関で収集された前記メンバーとなる複数の各受診者の医療情報を、各受診者に予め付与された固有の識別情報に対応付けて集約して保管し、医療従事者および／または各受診者の要求に応じて、前記各受診者の医療情報を予め定めるルールに基づき、前記携帯通信端末および情報処理装置で閲覧可能にするサーバと、複数の前記携帯通信端末および情報処理装置と、それらを接続する広域の無線通信ネットワークとを備えて構成され、前記受信手段は、外部からの予め定める起動のサインを受信すると、前記受診者に予め付与された固有の識別情報を表示し、前記情報処理装置は、広域の無線通信ネットワークを介して、前記受診者に予め付与された固有の識別情報で前記サーバにアクセスし、前記集約されている医療情報を取得することを特徴とする。
【００２１】
上記の構成によれば、複数の各医療機関で収集された複数の受診者毎の現況のカルテや投薬情報、或いは過去の病歴なども適宜含む医療情報を、管理センターなどで、各受診者に予め付与された固有の識別情報に対応付けて受診者毎に集約して保管し、医療従事者、或いは受診者本人や家族などからの要求に応じて、各受診者の医療情報を、予め定めるルールに基づき閲覧可能にすることで、個人医療情報集約システムを実現することができる。この個人医療情報集約システムは、受診者や家族が、セカンドオピニオンなどのために自身の医療情報を携えて新規な外来へ行ったり、地域の保険組合や医師会が、投薬の重複が無いか確認したり、レセプト請求の不備が無いかを確認したりするのに、非常に有効である。或いは、他の病院や診療科が、以前の医療情報を得るために、煩雑で時間の掛かる紹介などの作業を無くすことができる。
【００２２】
前記医療情報の閲覧のために予め定めるルールは、たとえば医者が見られるレベル、薬局で見られるレベル、受診者自身で見られるレベルで、医療情報の制限を行う等である。前記識別情報は、ＩＤナンバーなどで、各受診者には１つだけ割当てられ、診察券に記載されるような医療機関毎に割当てられるようなものではない。
【００２３】
本実施形態は、このような個人医療情報集約システムを利用して、受診者が体調に不具合を生じた時、たとえば前記の救急搬送時に、救急車内や搬送先の病院などの受診者の収容場所において、救護処置を行う救命士、医師、看護士などの医療従事者が、前記各受診者に予め付与された固有の識別情報に対応付けられた医療情報を活用し、適切な処置や事前準備を行えるようにする。詳しくは、先ず受診者の識別情報を取得する必要があり、前記の受信手段は、外部からの予め定める起動のサイン、たとえば第２の通信インターフェイスから第１の通信インターフェイスの呼出しを受信すると、前記受診者に予め付与された固有の識別情報を表示する。それを医療従事者が読取って前記情報処理装置に入力したり、或いは受信手段と前記近距離の無線通信で取得するなどした情報処理装置は、携帯電話回線などの広域の無線通信ネットワークを介して前記サーバにアクセスし、前記識別情報に対応付けて集約されている医療情報を取得する。
【００２４】
つまり、情報処理装置は、上述の近距離の無線通信で、所有者のスマートフォンなどの携帯通信端末に記録されている受診者の医療情報そのものを取得するのではなく、携帯通信端末から取得するのはＩＤナンバーなどの識別情報で、医療情報は、別途に、前記集約センターなどに設置されるサーバから得られる精細なものとすることができる。また、受診者の閲覧には制限があるものの、医療従事者だけが見られるような情報も入手して、より適切な治療や処置を行うことができる。
【００２５】
さらにまた、本発明の個人医療情報システムでは、前記メンバーに体調の不具合が生じた際に収容される収容場所は救急車内またはドクターヘリ機内であり、前記処置を施す医療従事者は救急隊員および／または医師であることを特徴とする。
【００２６】
上記の構成によれば、広域の無線通信ネットワークが使えなかったり、不安定な時にも、近距離の無線通信によって所有者のスマートフォンなどの携帯通信端末から、ミラーリングして、直接、受信者の医療情報を、各救急隊員や医師は共有できるので、受診者が体調に不具合を生じた際に収容される収容場所として、移動する救急車やドクターヘリにも適応することができる。
【００２７】
また、本発明の個人医療情報システムでは、前記携帯通信端末は、前記受信手段で前記起動のサインを受信すると、表示手段に前記識別情報を表示するとともに、該携帯通信端末の所在を前記医療従事者に報知するための鳴動を行う報知手段をさらに備えることを特徴とする。
【００２８】
上記の構成によれば、スマートフォンなどの携帯通信端末が、前記起動のサインを受信すると、前記識別情報を、情報処理装置に返信するのではなく、表示手段に表示する場合、医療従事者は、該携帯通信端末を見付けて、その表示画面を確認する必要がある。そこで、報知手段を設け、前記起動のサインを受信すると、報知手段が鳴動することで、該携帯通信端末の所在が分かり易い。
【００２９】
さらにまた、本発明の個人医療情報システムでは、前記サーバは、広域の無線通信ネットワークを介して、受診者の受診によって前記医療機関側で新たに入力されたた検査、治療、処置、投薬等の医療情報を、前記広域の無線通信ネットワークを介して、前記携帯通信端末へ送信し、前記格納手段に更新記録させることを特徴とする。
【００３０】
上記の構成によれば、受診者が、検査、治療、処置、投薬等の医療情報をスマートフォンなどの携帯通信端末に入力するのは大変な作業になる。特に診断画像のようなものは、スマートフォン内蔵カメラで撮影して取込むようなことは現実的ではない。そこで、医療機関側で、電子カルテなどとして利用されている医療情報が、サーバに新たに入力されて更新される毎に、サーバから受診者の携帯通信端末に携帯電話回線などの広域の無線通信ネットワークを介して送信し、格納手段内の医療情報も同様に更新する。
【００３１】
したがって、受診者は、煩雑な入力作業をすることなく、最新の医療情報を携帯通信端末に記録しておくことができる。
【００３２】
また、本発明の個人医療情報システムでは、前記携帯通信端末の格納手段に記録されている前記医療情報は、予めレベル分けされており、該携帯通信端末でメンバーが閲覧可能なレベルと、前記医療従事者が前記情報処理装置において予め定める操作により閲覧可能になるレベルとに差のあるケースを有することを特徴とする。
【００３３】
上記の構成によれば、救急隊員や医師などの医療従事者には、パスワードロック解除などの予め定める操作によって、救命救急活動に支障の無いように総ての医療情報の取扱いが可能になるが、メンバー（受診者）の側では、自身の携帯通信端末に記録されている情報であっても、医療情報の提供に制限を設けるケースも生じる。
【００３４】
したがって、医師や家族などが公開しないと判断した情報を、特定のメンバー（受診者）に秘匿にするなど、医療情報をより適切に取扱うことができる。
【発明の効果】
【００３５】
本発明の個人医療情報システムは、以上のように、所有者に関連する家族などのメンバーの医療情報を記録しているスマートフォンなどの携帯通信端末内の前記医療情報を、医療従事者が所持する情報処理装置に表示するものであり、前記医療従事者側からの予め定める起動のサインに応答して、携帯通信端末は近距離の無線通信で前記医療情報を送信し、情報処理装置の表示手段に表示させる。
【００３６】
それゆえ、所有者のスマートフォンなどの携帯通信端末に記録されているメンバーの医療情報は、勿論、スマートフォン自体の生体認証やパスワードなどによるロックが掛るようになるかもしれないが、外部からの予め定める起動のサインを受信すると、強制的に、医療従事者が所持するスマートフォンやタブレット端末などの情報処理装置にミラーリングされる。これによって、所有者の姓名が不明であっても、また携帯電話回線などの大規模な無線通信ネットワークが不安定で、救急車やドクターヘリなどの医療従事者側で、掛かり付けの病院などからメンバーの医療情報を入手できないような場合でも、所有者のスマートフォンなどの携帯通信端末との近距離の無線通信によって（ローカルに）、直接、確実かつ安定して、医療情報を取得することができ、速やかに、かつ適切に、処置を行うことができるようになる。
【図面の簡単な説明】
【００３７】
【図１】本発明の実施の一形態に係る個人医療情報システムの構成を示す図である。
【図２】前記個人医療情報システムを構成する所有者（受診者、患者）側の携帯通信端末および医療従事者側の情報処理装置の電気的構成を示すブロック図である。
【図３】前記個人医療情報システムの全体構成を示すブロック図であり、受診者（患者）の平常時の状態を示す。
【図４】前記個人医療情報システムの全体構成を示すブロック図であり、受診者（患者）の救急搬送時の状態を示す。
【図５】前記個人医療情報システムにおいて、携帯通信端末に表示されて所望の医療情報を選択するためのトップ画面の一例を示す図である。
【図６】図５からの入力の結果の設定画面の一例を示す図である。
【図７】前記個人医療情報システムにおける受診者（患者）の医療情報へのアクセスのための入力画面の一例を示す図である。
【図８】前記個人医療情報システムにおいて、集約サーバから受信した詳細な個人医療情報の表示画面の一例を示す図である。
【発明を実施するための形態】
【００３８】
図１は、本発明の実施の一形態に係る個人医療情報システムの構成を示す図である。先ず、最小限の構成として、本実施形態の個人医療情報システムは、図１で示すように、携帯通信端末５と、情報処理装置８とを備えて構成される。携帯通信端末５は、通信機能を有する端末であり、少なくともその所有者１を含む該所有者１に関連する家族などのメンバーの医療情報を記録しておくことが可能である。情報処理装置８は、医療従事者９が所持し、その医療従事者９は、前記メンバーに体調の不具合が生じた際に処置を施す。図１の例では、所有者１は、体調の不具合が生じ、ストレッチャー９０に載せられて、収容場所としての救急車９１に収容されて搬送されている状態を示しており、該所有者１に処置を施す医療従事者９は、救急隊員である。
【００３９】
図２は、携帯通信端末５および情報処理装置８の電気的構成を示すブロック図である。携帯通信端末５は、中央情報処理装置などから成る情報処理部５０１と、プログラムメモリ５０２と、データメモリ５０３と、表示部５０４と、Bluetooth（登録商標）７１の通信インターフェイス５０５と、Wi-Fi（登録商標）７２の通信インターフェイス５０６と、携帯電話回線７３の無線送受信機５０７とを備えて構成される。携帯通信端末５は、スマートフォンから成り、上記の構成以外にも、カメラやフラッシュ、タッチパネルセンサ、アンテナなど、スマートフォンに搭載される標準の機能を備えている。
【００４０】
制御手段としての情報処理部５０１は、プログラムメモリ５０２に格納されているＯＳ５０２１やアプリケーションプログラム５０２２に基づき動作して、データメモリ５０３に格納されているデータ５０３１，５０３２を表示部５０４に表示したり、通信インターフェイス５０５，５０６や無線送受信機５０７を用いてデータのやり取りをしたりすることができる。
【００４１】
情報処理装置８も、中央情報処理装置などから成る情報処理部８０１と、プログラムメモリ８０２と、データメモリ８０３と、表示部８０４と、Bluetooth（登録商標）７１の通信インターフェイス８０５と、Wi-Fi（登録商標）７２の通信インターフェイス８０６とを備えて構成される。情報処理部８０１は、プログラムメモリ８０２に格納されているＯＳ８０２１やアプリケーションプログラム８０２２に基づき動作して、データメモリ８０３に格納されているデータ８０３１，８０３２を表示部８０４に表示したり、通信インターフェイス８０５，８０６を用いてデータのやり取りをしたりすることができる。情報処理装置８は、タブレット端末から成り、上記の構成以外にも、カメラやフラッシュ、タッチパネルセンサ、アンテナなど、タブレット端末に搭載される標準の機能を備えている。
【００４２】
上述のように構成される個人医療情報システムにおいて、注目すべきは、本実施形態では、所有者１側の携帯通信端末５のデータメモリ５０３の一部エリアは前記メンバーの医療情報６１を記録しておく格納手段として使用される一方、プログラムメモリ５０２に格納されている専用のアプリケーションプログラム５０２３によって、情報処理部５０１および受信手段５０８が、常時、間欠的に起動されており、受信手段５０８で外部からの予め定める起動のサインである音声７０を受信すると、情報処理部５０１は、医療情報６１を、通信インターフェイス５０５によって、情報処理装置８との間でBluetooth（登録商標）７１の近距離無線通信を行い、送信することである。情報処理装置８では、その医療情報６１を通信インターフェイス８０５が受信すると、プログラムメモリ８０２に格納（予めインストール）されている専用のアプリケーションプログラム８０２３によって、情報処理部８０１が表示部８０４に表示させるとともに、データメモリ８０３に、ミラーデータ８０３３として格納する。そのため、情報処理装置８の通信インターフェイス８０５も、専用のアプリケーションプログラム８０２３によって、常時、間欠的に起動されている。
【００４３】
すると、携帯電話回線７３による広域の無線通信ネットワーク、所謂インターネットが使えないような状況でも、図１で示すように、所有者１側の携帯通信端末５と同じ内容の医療情報６１が、医療従事者９側の情報処理装置８に、ミラーリングされる。図１では、携帯通信端末５の表示部５０４にも、前記医療情報６１の選択画面を例示しているが、所有者１が重篤なら、確認することは困難であり、ミラーリングされている状態で、表示部５０４に表示するか否かは、設定などで予め定めることができる。
【００４４】
詳しくは、携帯通信端末５では、後述の設定操作によって機能をＯＮする選択を行っていると、歩数計のアプリケーションプログラム（５０２２）などのように、本個人医療情報システムに専用のアプリケーションプログラム５０２３が常に起動しており、医療従事者９からの呼び掛けなどの予め定める起動のサインを待っている。そして、医療従事者９が所定の形態で発する前記起動のサインを受信手段５０８で受信すると、情報処理部５０１が、データメモリ５０３に記録されている医療情報６１を、通信インターフェイス５０５から情報処理装置８の通信インターフェイス８０５へ送信する。情報処理装置８は、通信インターフェイス８０５で、その医療情報が受信されると、表示手段８０４で表示する。
【００４５】
近距離の無線通信には、上述の通信インターフェイス５０５，８０５による、Bluetooth（登録商標）７１に限らず、通信インターフェイス５０６，８０６によるWi-Fi（登録商標）７２などの他の近距離無線ＬＡＮが用いられてもよいが、Bluetooth（登録商標）７１は、ＬＥ（低消費エネルギー）技術により、待機時の消費電力が低く、本実施形態のように、非常に長い待機時間で、何時通信するかも分からないようなケースでは、好ましい。
【００４６】
このように構成することで、所有者１のスマートフォンなどの携帯通信端末５に記録しておいた、自身や、場合によっては家族を含む所定メンバーの医療情報６１を、前記メンバーに体調の不具合が生じた際に処置を施す救急隊員や医師などの医療従事者９が所持するスマートフォンやタブレット端末などの情報処理装置８に、ミラーリングすることができる。つまり、所有者１のスマートフォンなどの携帯通信端末５に記録されているメンバーの医療情報６１は、勿論、スマートフォン自体の生体認証やパスワードなどによるロックが掛るようになるかもしれないが、外部からの予め定める起動のサインである音声７０を受信すると、ロックが解除され、強制的に、医療従事者９が所持するスマートフォンやタブレット端末などの情報処理装置８にミラーリングされる。なお、情報処理装置８が複数台であってもミラーリングが可能かどうかは、１対１で時系列に接続するか、１対多で同時に接続するかという、使用する近距離無線通信の方式による。
【００４７】
これによって、所有者１の姓名が不明であっても、また携帯電話回線７３などの大規模な無線通信ネットワークが不安定で、救急車９１やドクターヘリなどの医療従事者９側で、掛かり付けの病院などからメンバーの医療情報６１を入手できないような場合でも、所有者のスマートフォンなどの携帯通信端末５との近距離の無線通信によって（ローカルに）、直接、確実かつ安定して、医療情報６１を取得することができる。これによって、医療従事者９は、速やかに、かつ適切に、処置を行うことができるようになる。特に、救急車９１に限らず、通信インフラに障害を生じ易い大規模な災害や事故の際に、携帯通信端末５および情報処理装置８に電池切れが生じる迄、現場で、医療情報６１を取得することができる。
【００４８】
ここで、受信手段５０８は、マイクロフォンと音声認識ソフトなどで実現することができ、情報検索などのためにスマートフォンでは広く搭載されている、所謂ＡＩスピーカの技術を用いることができる。前記起動のサインとしては、医療従事者９が発する予め定める言葉の音声７０による呼び掛けである。たとえば、「医療情報のミラーリング」である。この音声７０が受信手段５０８で認識されると、情報処理部５０１は、専用のアプリケーションプログラム５０２３に従い、データメモリ５０３に記録されている医療情報６１を読出して、通信インターフェイス５０５から送信する。前記受信手段５０８として、前記マイクロフォンおよび音声認識ソフトを用いる場合、音声に限らず、発信機からの予め定める発信音などでもよい。たとえば、電話のプッシュ音の「ピー」や「ピッ」である。騒音の激しい、ドクターヘリの場合には、特に通り易い音が好ましい。
【００４９】
また、前記の起動にあたって、情報処理装置８のプログラムメモリ８０２に専用のアプリケーションプログラム８０２３が格納（予めインストール）されていることから、そのアプリケーションプログラム８０２３が起動信号発生手段８０８を起動し、発生された起動信号を、Bluetooth（登録商標）７１の通信インターフェイス８０５，５０５を介して情報処理部５０１に、起動のサインとして与えてもよい。そうすることで、医療従事者９がスマートフォンやタブレット端末などの情報処理装置８から、所有者１のスマートフォンなどの携帯通信端末５に向けて、Bluetooth（登録商標）７１によってローカルに起動信号を発すると、同じBluetooth（登録商標）７１によってローカルに、医療情報６１を取得することができる。
【００５０】
図３および図４は、本発明の実施の一形態に係る個人医療情報システムの全体構成を示すブロック図である。図３は、所有者（受診者、患者）１の平常時の状態を示し、図４は、救急搬送時の状態を示す。なお、上述の説明では、所有者１は、スマートフォンから成る携帯通信端末５の所有者であると説明しているが、以降は、診察を受ける受診者や、救急搬送される患者となることもあり、それぞれの状況で適切な用語を使用するが、同じ参照符号を使用することとする。
【００５１】
図３および図４を参照して、本実施形態の個人医療情報システムは、各受診者（患者）１１〜１４（以下、総称する際は、参照符号１で示す）の個人の医療情報６１を、管理センター２１，２２（以下、総称する際は、参照符号２で示す）の集約サーバに集約して管理することで、利便性を高めることを目的とするものである。管理センター２は、各都道府県に設置されたり、全国を一元管理するものであったり、適宜設置されればよい。具体的には、管理センター２は、先発事業化した企業、或いは、第３セクター、社団法人、財団法人などの関係省庁の所轄機関や委託請負機関に設置される。
【００５２】
具体的には、複数の各医療機関３１〜３６（以下、総称する際は、参照符号３で示す）で収集された複数の受診者１毎の現況のカルテや投薬情報、或いは過去の病歴や持病なども適宜含む医療情報６１を、前記管理センター２において、各受診者１に予め付与された固有の患者番号である識別情報４１〜４４（以下、総称する際は、参照符号４で示す）に対応付けて、受診者１毎に集約して保管し、医療従事者９、或いは受診者１本人や家族などからの要求に応じて、予め定めるルールに基づき閲覧可能にするものである。本個人医療情報システムにおいて、医療用の検査画像は、たとえば、該医療用の検査画像とその通信に関する標準規格であるＤＩＣＯＭ（Digital Imaging and Communication in Medicine）準拠のデータで、やり取りが行われ、また管理センター２で保管される。管理センター２において、実際に医療情報を保管するデータベースは、ＮＡＳ（Network Attached Storage）等の集約サーバによって実現することができる。
【００５３】
図３および図４の例では、医療機関３１，３２は総合病院であり、医療機関３３は歯科であり、医療機関３４は薬局であり、医療機関３５は訪問介護施設であり、医療機関３６はその他（健保組合、社会保険、防衛省（自衛隊）・警察等）の医療関連施設である。図３の例では、各受診者１１，１２，１３，１４には、「Ａ１２３４５６７８９０ａ」「Ｂ１２３４５６７８９０ｂ」「Ｃ１２３４５６７８９０ｃ」「Ｄ１２３４５６７８９０ｄ」の識別情報４１，４２，４３，４４が、それぞれ割当てられている例を示している。
【００５４】
そして、各受診者１１〜１４は、医療機関３の受信後などの適宜のタイミングで、所持するスマートフォンやタブレット端末などの携帯通信端末５１〜５４（以下、総称する際は、参照符号５で示す）のアプリケーションプログラム５０２３を使用して、無線送受信機５０７から携帯電話回線７３を介して、管理センター２の集約サーバにアクセスし、前記識別情報４および予め定めたログインＩＤやパスワードの入力によって、自身や家族などの医療情報６１を取得し、データメモリ５０３の格納手段に記録するとともに、表示部５０４において、閲覧が可能になり、医療機関３で提示したりできるようになっている。医療機関３、管理センター２および携帯情報端末５は、携帯電話回線７３やインターネット回線などのネットワーク７を介して相互に接続される。
【００５５】
こうして、本実施形態の個人医療情報システムでは、受診者１や家族が、セカンドオピニオンなどのために自身の医療情報６１を携えて新規な外来（３１，３２，３６）へ行ったり、図示しない地域の保険組合や医師会が、投薬の重複が無いか確認したり、レセプト請求の不備が無いかを確認したりするのに、非常に有効である。或いは、他の病院（３１，３２，３６）や診療科が、以前の医療情報を得るために、煩雑で時間の掛かる紹介などの作業を無くすことができるようになっている。
【００５６】
なお、前記医療情報６１の閲覧のために前記予め定められるルールは、たとえば医者が見られるレベル、薬局で見られるレベル、受診者１自身や家族で見られるレベルで、医療情報６１の制限を行う等である。具体的には、病院（３１，３２，３６）の診療科では総ての情報が見られるが、薬局（３４）や受診者１では進行のステージまで見られなかったり、治療の際に必要となる感染症（ＨＩＶや肝炎など）の情報は、病院（３１，３２，３６）だけで見られたりする等である。前記識別情報４は、ＩＤナンバーなどで、各受診者には１つだけ割当てられ、診察券に記載されるような医療機関（３１，３２，３６）毎に割当てられるようなものではなく、また受診者１が予め任意に設定しておくことができる前記のログインＩＤやパスワードとも異なる。
【００５７】
また注目すべきは、携帯通信端末５および情報処理装置８のプログラムメモリ５０２，８０２には、専用のアプリケーションプログラム５０２１，８０２１が格納（予めインストール）されており、そのためBluetooth（登録商標）７１を介して双方向通信が可能であり、情報処理装置８側から、医療情報６１の選択が可能であることである。勿論、音声７０などの起動のサインで、データメモリ５０３の格納手段に格納された医療情報６１の全部が一括送信されてもよいが、そうなると、医療従事者９が、所望の医療情報を情報処理装置８で確認できるようになるまでには、時間が掛る可能性がある。そこで、本選択を可能にする。
【００５８】
図５は、これから所望の医療情報を選択するためのトップ画面の一例である。スマートフォンなどから成る携帯通信端末５に、前記専用のアプリケーションプログラム５０２３をインストールして、表示部５０４の待ち受け画面のアイコンをクリックすると、このトップ画面が表示され、また上述のミラーリング動作の最初にも、情報処理装置８の表示部８０４には、このトップ画面が表示され、図１のようになる。
【００５９】
トップ画面には、名前Ｐ１およびログイン釦Ｐ２が表示されるとともに、各種のアイコンＰ３〜Ｐ１９が表示される。ログイン釦Ｐ２を操作して、ＩＤおよびパスワードを入力し、それらの認証を受けないと、残余のアイコンＰ３〜Ｐ１３の操作は無効になる。ログイン釦Ｐ２の色は変化し、たとえば、直近の通院や往診などからの期間が、１週間以内で赤色、３週間以内で黄色、１ヶ月以内で緑色、１ケ月を超える場合に無色と言うように、受信者１の状態を表わす。
【００６０】
アイコンＰ３は、基本データ画面を開くためのもので、その操作によって、姓名の仮名漢字、生年月日、血液型、住所、電話番号、メールアドレス、この個人医療情報システムのＩＤ、お薬手帳のＩＤ、顔写真、緊急連絡先の住所や電話番号、勤務先の住所や電話番号などを確認することができる。
【００６１】
アイコンＰ４は、健康情報や治療歴の画面を開くためのもので、その操作によって、治療や診察の履歴、診断結果、血液などの検査結果、カルテ、検査画像などから、所望の情報を、逐次階層を経て、抽出・表示させることができる。アイコンＰ５は、アレルギーの画面を開くためのもので、薬剤、環境、食物、花粉などに対するアレルギーおよびその診断や治療記録を確認することができる。アイコンＰ６は、日常の生活状況の画面を開くためのもので、煙草やアルコールなどの嗜好や摂取の期間などを確認することができる。この日常の生活状況には、別途の生体センサで検出された血圧や脈拍などのデータが取込まれ、適宜集計されて結果が表示されるようにしてもよい。
【００６２】
アイコンＰ７は、家族情報の画面を開くためのもので、各家族メンバーについて、頁を捲るようにして、アイコンＰ３の操作と同様の個人情報を確認することができる。アイコンＰ８は、緊急通報先への発信釦で、その操作で、家族や友人、或いは主治医などの予め登録された通報先へ、電話を掛けることができる。アイコンＰ９は、お薬手帳や、それに相当する過去の処方箋などの投薬履歴の画面を開くためのもので、処方先の医療機関から調剤薬局およびその所在地、ならびに処方内容などを確認することができる。アイコンＰ１０は、通院していたり、近くにある医療機関の情報を示すものであり、病院名、所在地、医師の名前などを確認することができる。アイコンＰ９のお薬手帳と、このアイコンＰ１０の医療機関のアイコンとは、その操作で、上述のような受診者に係る情報が確認できることは勿論、スマートフォンなどの情報通信端末５の現在地情報から、近くの薬局や医療機関を紹介することもできる。
【００６３】
アイコンＰ１１は、リハビリで通っていたり、実際に入所していたりする介護施設がある場合に、その情報を表示させるものである。アイコンＰ１２は、前述の「Ａ１２３４５６７８９０ａ」などの個人医療情報の識別情報４１，４２，４３，４４を確認するためのもので、その操作によって、表示部５０４に大きく表示され、後述するように、医療従事者９が確認することができる。アイコンＰ１３は、救急車（消防）や、事故時の警察、レッカーの手配などの緊急連絡先の電話番号を表示させ、さらに釦操作で発信までを行うものである。
【００６４】
下段のアイコンＰ１４〜Ｐ１９は、設定や操作確認などの釦であり、設定のアイコンＰ１４を操作することで、図６の設定画面となる。設定では、Bluetooth（登録商標）７１の通信インターフェイス５０５およびWi-Fi（登録商標）７２の通信インターフェイス５０６のＯＮ／ＯＦＦ、アイコンＰ８による緊急通報のＯＮ／ＯＦＦ、後述する識別情報４１，４２，４３，４４の自動発信機能のＯＮ／ＯＦＦ、ならびに上述の医療情報６１のミラーリングの機能のＯＮ／ＯＦＦなどを設定することができる。
【００６５】
上述のように構成される個人医療情報システムにおいて、前述のように、医療従事者９が起動のサインである音声７０や発信音を発して、或いは情報処理装置８から起動のサインであるBluetooth（登録商標）７１の起動信号を発信して、情報通信端末５の医療情報６１を情報処理装置８にミラーリングすることで、医療従事者９は、情報通信端末５のデータメモリ５０３に記録されている範囲の受診者１の医療情報６１を、救急車９１内だけのBluetooth（登録商標）７１の近距離無線通信で確認し、該受診者１の救護処置に利用することができる。
【００６６】
しかしながら、そうしてデータメモリ５０３に記録されている医療情報６１には、受診者１の医療情報の総てで無い場合がある。具体的には、若くて健康な人で、医療機関への受診履歴が少ない場合などでは、情報通信端末５の医療情報だけを確認すればよい。一方、病気がちの高齢者など受診履歴が多い場合、医療情報６１の総てを情報通信端末５に収容し切れないようなこともある。そこで、本個人医療情報システムでは、医療従事者９が、前記アイコンＰ１２を操作して、「Ａ１２３４５６７８９０ａ」などの個人医療情報の識別情報４１，４２，４３，４４を取得することで、集約センター２側の医療情報６１を活用できるようになっている。
【００６７】
詳しくは、図４を参照して、その活用は、救急車９１内やドクターヘリの機内のような収容場所において、医療従事者９は、受診者（患者）１の識別情報４を取得する。その識別情報４の取得は、受診者（患者）１の意識があり、かつ受診者（患者）１が記憶している場合には、医療従事者９が聞き出し、パーソナルコンピュータ８１のキーボード８１１から、後述するようにして入力する（打込む）ことができる。或いは、受診者（患者）１が記憶していなかったり、受診者（患者）１の意識が無かったりすると、先述のミラーリング状態で、アイコンＰ１２を操作することで取得することができる。救急車９１内やドクターヘリの機内では、固定設置のパーソナルコンピュータ８１に限らず、情報処理装置８のように移動自在のタブレット端末が用いられてもよく、或いはそれらが併用されてもよい。
【００６８】
本個人医療情報システムでは、こうして識別情報４が得られると、医療従事者９が、パーソナルコンピュータ８１から、自身のＩＤやパスワードなどを用いて、参照符号６２で示すように、前記管理センター２の集約サーバにアクセスし、受診者（患者）１の医療情報６１にアクセス（ダウンロード）する。ＩＤおよびパスワードは、医療従事者９が、受診者（患者）１の医療情報６１にアクセス（ダウンロード）する資格を有しているかどうかの認証に用いるものである。そのＩＤおよびパスワードの入力は、キーボード８１１から行われてもよいが、医療従事者９が所持するＩＣカード８２や磁気カード８３を、カードリーダー８１２，８１４に近付けたり、接触させたり、差込んだりして、情報を読取ることで行われてもよい。
【００６９】
受診者（患者）１の識別情報４が正しく無い時（該当する受診者が居ない、つまり識別情報４が存在しない時）、医療従事者９のＩＤまたはパスワードが正しく無い、つまりパスワードが間違っていたり、変更されていたりする時、或いはＩＤの有効期限が切れている時などには、管理センター２の集約サーバは、参照符号６３で示すように、それらの情報が間違っていることをパーソナルコンピュータ８１に返信する。医療従事者９のＩＤは、たとえば個人が申請するのではなく、消防組合などの所属機関や、前記の本システムの委託請負機関などが、一括して、システム管理者に対して申請を行い、交付を受ける。
【００７０】
図７は、医療従事者９が、受診者（患者）１の医療情報６１にアクセス（ダウンロード）する際のパーソナルコンピュータ８１の入力画面８１５の一例で、患者個人医療情報番号として前記識別情報４を入力欄８１５１に入力し、自身のＩＤを入力欄８１５２に入力し、パスワードを入力欄８１５３に入力し、ログインボタン８１５４をクリックすることで、集約サーバへのアクセスが可能になる。前記のＩＣカード８２や磁気カード８３を用いる場合、入力欄８１５２，８１５３は、自動入力となる。
【００７１】
そして、集約サーバで医療従事者９の認証が行われ、受診者（患者）１の医療情報６１が存在すると、その医療情報６１がダウンロードされ、表示手段であるパーソナルコンピュータ８１の表示画面８１３に表示される。
【００７２】
図８は、その表示画面８１６の一例を示す。大略的に、左上欄には、顔写真８１６１や、個人情報８１６２が表示される。したがって、前述のように識別情報４で、受診者（患者）１の本人認証が行われているが、医療従事者９は、この顔写真８１６１から、改めて受診者（患者）１の本人確認を行うことができる。個人情報８１６２には、前記識別情報４、名前、生年月日、血液型、住所、電話番号、連絡先などを含む。指示ボタン８１６５は、地域消防本部（１１９番）による受入れ医療機関の選定を要請するためのボタンである。
【００７３】
表示画面８１６の左下欄８１６３は、複数の頁構成となっており、アレルギーや嗜好品などの基本情報（ＴＯＰ）、以前の受診時の診断書や健康診断結果、臓器提供の意思などが表示される。表示画面８１６の右側欄８１６４は、搬送先の医療機関との連携に用いられ、受け入れ先候補の医療機関が、候補順で表示されたり、連絡先などが表示されると共に、後述の受入れ準備のためのやりとりに使用する項目を含む。
【００７４】
詳しくは、右側欄８１６４において、リスト８１７１には、受け入れ先候補の医療機関が、候補順で表示される。また、上欄８１７２には、識別情報４が表示される。上欄８１７２の識別情報４および左側欄の医療情報６１は、欄８１７３に指定された病院に、送信ボタン８１７４をクリックすることで、送信することができる。このようにして、その病院の受入れ準備に役立てることができる。
【００７５】
本個人医療情報システムでは、この搬送先の医療機関との連携に用いられる右側欄８１６４にはまた、医療機関に受診者（患者）１の状況を伝えるための複数のアイコン８１７５〜８１７８が用意されている。アイコン８１７５部分には、医療従事者９が、予め定められている処置をして判定した受診者（患者）１の状態を、たとえば５段階で判定した結果が表示され、このアイコン８１７５をクリックすることで、欄８１７３に指定された最終の受入れ予定の医療機関（以降、受入れ医療機関と言う）に、その判定結果が送信される。こうして、後述の画像や動画では伝わり難い場合に、受診者（患者）１の状態を、素早く、受入れ医療機関に伝えることができる。
【００７６】
また、アイコン８１７６をクリックすることで、ハンズフリーの通話が可能になり、医療従事者９が、前記受入れ医療機関の医師の指示を仰いだりすることができる。さらにまた、アイコン８１７７をクリックすることで、救急車９１内のカメラで撮影された動画像が、前記受入れ医療機関、たとえば３１の表示装置に送信される。アイコン８１７８をクリックすることで、たとえば動画像より高精細で、患部や傷をアップにした静止画が、たとえば前記医療機関３１の表示装置に送信される。パーソナルコンピュータ８１は、これらの画像や音声の送信手段となる。また、これらの画像や音声を、受入れ医療機関３１の表示装置に転送する管理センター２は、中継手段となるが、そのような中継は、医療情報６１の集約サーバを通さず、別の中継手段で行われることが望ましい。
【００７７】
本個人医療情報システムでは、前述のように、先ず音声７０による呼び掛けや発信器からの発信音、起動信号発生手段８０８からの起動信号によって、Bluetooth（登録商標）７１を通して、ローカルに、携帯通信端末５に記録されている医療情報６１を情報処理装置８に、遠隔（選択）操作可能にミラーリングすることができる。そして、さらに識別情報４が入手でき、かつ携帯電話回線７３やインターネット回線などのネットワーク７が使用可能な場合には、集約センター２から、高精細画像など、より詳細な医療情報を入手したり、図８で示すようにパーソナルコンピュータ８１の表示画面８１６の大きな画面を利用して多くの情報を一括で表示したり、医療機関３と連絡を取ったりすることが可能になる。こうして、各個人の医療情報６１を、怪我、病気、事故、災害等の緊急時においても有効に用いることができ、医療従事者９が適切な対応を取り易く、救命率を上げることができる。特に、前述のように、携帯通信端末５から情報処理装置８に医療情報６１をミラーリングすることで、大規模な災害でネットワーク７が使えないような場合にも、適切な処置に役立てることができる。
【００７８】
ここで、前記識別情報４に関して、アイコンＰ１２の操作によって、表示部５０４に表示させる場合、医療従事者９は、携帯通信端末５を見つけなければならない。その際、受診者（患者）１の意識が無い場合など、受診者（患者）１が対応できない場合は、携帯通信端末５を持っているかどうか、また持っていても何処に持っているか分からないことがある。そこで、起動のサインである前記音声７０の呼び掛けや発信器からの発信音にＡＩスピーカが反応すると、或いは通信インターフェイス７１で起動信号を受信すると、情報処理手段５０１は、表示部５０４に識別情報４を表示するとともに、該携帯通信端末５の所在を医療従事者９に報知するための鳴動を行う報知手段５０９をさらに備える。報知の方法は、音響を発したり、振動（バイブレーション）したり、光を発したり、適宜選択されればよい。
【００７９】
これによって、該携帯通信端末５の所在が分かり易くなる。なお、ミラーリングと遠隔操作で、情報処理装置８から携帯通信端末５を操作する場合、携帯通信端末５は見つからなくてもよいが、受診者（患者）１が、携帯通信端末５を所持しているかどうか、また所持していてもその携帯通信端末５が本個人医療情報システムに対応しているかどうかは不明であり、報知手段５０９が応答することは望ましい。
【００８０】
また、上述の説明では、受診者（患者）１の収容場所として、図１や図４では、救急車９１を例示している。勿論、搬送先の病院と言うケースもあり、それらの多くは広域の通信ネットワーク７（７３）が利用可能である。しかしながら、医療従事者９が活動する状況として、大規模な災害や事故の場合も稀にあり、その場合は、より困難な対応となることが多い。たとえば、治療や処置を行うのは、学校や公民館などの公共施設であったり、或いは仮設のテントの中と言うような場合もある。そして、広域の通信ネットワーク７（７３）は、携帯電話の基地局２５（図２参照）が壊れたり、電源不足で使えなくなったりすることもある。そのような場合に、携帯通信端末５に記録されている医療情報６１を情報処理装置８にミラーリングして、処置や治療を行うことが極めて有効であることは、前述の通りである。
【００８１】
その上、さらに、医療従事者９が、処置や治療の内容を、たとえば文字だけで簡潔に、情報処理装置８に入力したものを、通信インターフェイス７１を介して携帯通信端末５へ送信して、或いは直接、携帯通信端末５へ入力して、受診者（患者）１の医療情報６１に追加することが好ましい。そうすることで、簡単なカルテやタグが受診者（患者）１と共に行動（移動）することになり、たとえば入力したのが医師で、引き継いだのが看護師であると、状況を速やかに把握し、処置などを適切に行えるようになる。前記大規模な災害や事故の場合、多くの受診者（患者）１が発生するので、このような状況の把握は、極めて有効である。
【００８２】
その後、広域の通信ネットワーク７（７３）が復旧すると、図４で示すように、携帯通信端末５は、その追加情報を、識別情報４と併せて、管理センター２のサーバへアップロードし、サーバ側でも追加情報を共有する。
【００８３】
なお、受診者（患者）１などが、検査、治療、処置、投薬等の医療情報６１をスマートフォンなどの携帯通信端末５に入力し、上述のようにアップロードするのは大変な作業になる。特に診断画像のようなものは、スマートフォン内蔵カメラで撮影して取込むようなことは現実的ではない。したがって、上述のように携帯通信端末５が管理センター２のサーバへアップロードするのは、小さなデータである前記の追加情報程度が好ましい。現実的には、医療機関３側で、電子カルテなどとして利用されている医療情報６１が、医療機関３のサーバに新たに入力されて更新される毎に、医療機関３のサーバから管理センター２のサーバにコピーされ、さらに受診者（患者）１の携帯通信端末５に、携帯電話回線７３などの広域の無線通信ネットワーク７を介して送信し、データメモリ５０３内の医療情報６１も同様に更新されるようになる。これによって、受診者（患者）１は、煩雑な入力作業をすることなく、最新の医療情報６１を携帯通信端末５に記録しておくことができる。
【符号の説明】
【００８４】
１；１１，１２，１３，１４    所有者、受診者、患者
２１，２２    管理センター
２５    基地局
３１，３２，３３，３４，３５，３６    医療機関
４；４１，４２，４３，４４    識別情報
５；５１，５２，５３，５４    携帯通信端末
５０１  情報処理部
５０２  プログラムメモリ
５０２１    ＯＳ
５０２２    アプリケーションプログラム
５０２３    専用のアプリケーションプログラム
５０３  データメモリ
５０３１，５０３２    データ
５０４  表示部
５０５  Bluetooth（登録商標）の通信インターフェイス
５０６  Wi-Fi（登録商標）の通信インターフェイス
５０７  携帯電話回線の無線送受信機
５０８  受信手段
５０９  報知手段
６１    医療情報
６２    医療情報ダウンロード
７    ネットワーク
７０    音声
７１    Bluetooth（登録商標）
７２    Wi-Fi（登録商標）
７３    携帯電話回線
８    情報処理装置
８０１  情報処理部
８０２  プログラムメモリ
８０２１    ＯＳ
８０２２    アプリケーションプログラム
８０２３    専用のアプリケーションプログラム
８０３  データメモリ
８０３１，８０３２    データ
８０３３    ミラーデータ
８０４  表示部
８０５  Bluetooth（登録商標）の通信インターフェイス
８０６  Wi-Fi（登録商標）の通信インターフェイス
９    医療従事者
９０    ストレッチャー
９１    救急車
【図１】
2020095592.tif 000003
【図２】
2020095592.tif 000004
【図３】
2020095592.tif 000005
【図４】
2020095592.tif 000006
【図５】
2020095592.tif 000007
【図６】
2020095592.tif 000008
【図７】
2020095592.tif 000009
【図８】
2020095592.tif 000010
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
携帯通信端末と、情報処理装置とを備えて構成される個人医療情報システムであって、
前記携帯通信端末は、少なくともその所有者を含む該所有者に関連するメンバーの医療情報を記録しておくものであり、
前記医療情報を記録している格納手段と、
外部からの予め定める起動のサインを受信する受信手段と、
前記情報処理装置と近距離の無線通信を行う第１の通信インターフェイスと、
前記受信手段で前記予め定める起動のサインが受信されると、前記格納手段に記録されている前記医療情報を、前記第１の通信インターフェイスから情報処理装置へ送信する情報制御手段とを備え、
前記情報処理装置は、前記メンバーに体調の不具合が生じた際に処置を施す医療従事者が所持するものであり、
第２の通信インターフェイスと、
前記第２の通信インターフェイスで前記医療情報が受信されると、それを表示する表示手段とを備えて構成され、
前記起動のサインは、前記医療従事者による予め定める音声による呼び掛け、または発信器による予め定める発信音の発信であることを特徴とする個人医療情報システム。
【請求項２】
携帯通信端末と、情報処理装置とを備えて構成される個人医療情報システムであって、
前記携帯通信端末は、少なくともその所有者を含む該所有者に関連するメンバーの医療情報を記録しておくものであり、
前記医療情報を記録している格納手段と、
外部からの予め定める起動のサインを受信する受信手段と、
前記情報処理装置と近距離の無線通信を行う第１の通信インターフェイスと、
前記受信手段で前記予め定める起動のサインが受信されると、前記格納手段に記録されている前記医療情報を、前記第１の通信インターフェイスから情報処理装置へ送信する情報制御手段とを備え、
前記情報処理装置は、前記メンバーに体調の不具合が生じた際に処置を施す医療従事者が所持するものであり、
第２の通信インターフェイスと、
前記第２の通信インターフェイスで前記医療情報が受信されると、それを表示する表示手段とを備えて構成され、
前記情報処理装置への医療情報の送信が可能となると、前記携帯通信端末は、その入力手段を利用して、新たな医療情報の入力が可能になり、前記情報制御手段は、入力された医療情報を前記格納手段に記録するとともに、前記入力手段の操作に応答して前記医療情報の読出しを行い、表示手段で表示することを特徴とする個人医療情報システム。
【請求項３】
サーバと、複数の携帯通信端末と、情報処理装置と、それらを接続する広域の無線通信ネットワークとを備えて構成される個人医療情報システムであって、
前記携帯通信端末は、少なくともその所有者を含む該所有者に関連するメンバーの医療情報を記録しておくものであり、
前記医療情報を記録している格納手段と、
外部からの予め定める起動のサインを受信する受信手段と、
前記情報処理装置と近距離の無線通信を行う第１の通信インターフェイスと、
前記受信手段で前記予め定める起動のサインが受信されると、前記格納手段に記録されている前記医療情報を、前記第１の通信インターフェイスから情報処理装置へ送信する情報制御手段とを備え、
前記情報処理装置は、前記メンバーに体調の不具合が生じた際に処置を施す医療従事者が所持するものであり、
第２の通信インターフェイスと、
前記第２の通信インターフェイスで前記医療情報が受信されると、それを表示する表示手段とを備え、
前記サーバは、複数の各医療機関で収集された前記メンバーとなる複数の各受診者の医療情報を、各受診者に予め付与された固有の識別情報に対応付けて集約して保管し、前記医療従事者および／または各受診者の要求に応じて、前記各受診者の医療情報を予め定めるルールに基づき、前記携帯通信端末および情報処理装置で閲覧可能にするものであり、
前記携帯通信端末は、その受信手段が、外部からの予め定める起動のサインを受信すると、前記情報制御手段が、前記表示手段に、前記受診者に予め付与された固有の識別情報を表示するとともに、該携帯通信端末の所在を前記医療従事者に報知するための鳴動を行う報知手段をさらに備え、
前記情報処理装置は、前記広域の無線通信ネットワークを介して、前記受診者に予め付与された固有の識別情報で前記サーバにアクセスし、前記集約されている医療情報を取得することを特徴とする個人医療情報システム。
【請求項４】
前記メンバーに体調の不具合が生じた際に収容される収容場所は救急車内またはドクターヘリ機内であり、前記処置を施す医療従事者は救急隊員および／または医師であることを特徴とする請求項１〜３の何れか１項に記載の個人医療情報システム。